(57)【要約】【課題】  ケージに容易に挿抜でき、光送受信モジュールの上面に設けた銘板が傷付くのを防ぐことができ、銘板からゴミが発生するのを防ぐことができる挿抜用パッケージ及び光モジュール並びに伝送装置を提供する。【解決手段】  ホストカード２等に設けられたケージに対して挿抜自在に設けられる光送受信モジュール１等の挿抜用パッケージにおいて、パッケージ本体４に、出没自在に摩擦低減部材５を設けたものである。【選択図】  図１
2006126340.tif 000002
【特許請求の範囲】
【請求項１】
ホストカード等に設けられたケージに対して挿抜自在に設けられる光送受信モジュール等の挿抜用パッケージにおいて、パッケージ本体に、出没自在に摩擦低減部材を設けたことを特徴とする挿抜用パッケージ。
【請求項２】
上記摩擦低減部材が、回転自在なローラからなり、上記パッケージ本体に、上記ローラを枢支する枢支部材を昇降可能に設けると共に、該枢支部材を昇降させるための操作レバーを設けた請求項１記載の挿抜用パッケージ。
【請求項３】
上記操作レバーは、上記パッケージ本体に挿抜方向スライド自在に設けられ、上記枢支部材を昇降させるべく枢支部材に摺動可能に係合される案内溝を有する請求項２記載の挿抜用パッケージ。
【請求項４】
上記摩擦低減部材が、挿抜方向に延びるレール部材からなる請求項１記載の挿抜用パッケージ。
【請求項５】
ホストカード等に設けられたケージに対して挿抜自在に設けられ発光素子や受光素子等の光素子を収容する光モジュールにおいて、モジュール本体に、出没自在に摩擦低減部材を設けたことを特徴とする光モジュール。
【請求項６】
ホストカード等に設けられ天板と底板を近接させるように形成されたケージと、該ケージに対して挿抜自在に設けられる光送受信モジュール等の挿抜用パッケージとを備えて構成された伝送装置において、パッケージ本体に、上記ケージの天板に接触させるための摩擦低減部材を出没自在に設けたことを特徴とする伝送装置。
【発明の詳細な説明】
【技術分野】
【０００１】
本発明は、ホストカード等に設けられたケージに対して挿抜自在に設けられる挿抜用パッケージ及び光モジュール並びに伝送装置に関するものである。
【背景技術】
【０００２】
長距離高速光通信などに使用する光送受信モジュールは、送信用光素子と、受信用光素子とを１つのパッケージに収めている。さらに、光送受信モジュールは、光信号安定化のための電気素子や電気信号の変調、補償のための電気素子をも１つのパッケージに収めている。図１６、図１７及び図１８に示すように、光送受信モジュール４０には、光素子（図示せず）に通じる開口部６を有し、この開口部６に外部伝送路たる光ファイバ４２の端末、すなわち光ファイバコネクタ４３を挿入するようにした、いわゆるレセクタプルタイプのものがある。
【０００３】
多数の光ファイバ４２を集中配線する通信機器（図示せず）では、パネル（図示せず）に多数の光送受信モジュール４０を整列配置することで、任意の光送受信モジュール４０の開口部６に任意の光ファイバコネクタ４３を挿入できるように配慮してある。パネルにおける光送受信モジュール開口部６の配置をより集約し、かつ、通信機器内部の配線を簡素にするために、光送受信モジュール４０の開口部６を基板からなるホストカード２の端部に整列配置し、各々の開口部６がパネルの各窓から露出するよう、ホストカード２を通信機器内に配置するのが望ましい。
【０００４】
一方、光送受信モジュール４０内の光素子や電気素子に不具合が生じたときや、光波長や変調方式などの通信仕様を相手と整合させたいときは、光送受信モジュール４０をアセンブリ交換して対応したい。このため、光送受信モジュール４０はホストカード２に対して着脱自在に取り付けられるようになっている。具体的には、ホストカード２上には光送受信モジュール４０を機械的に保持するためのケージ３が設けられており、光送受信モジュール４０と共に光信号及び電気信号の伝送装置４４を構成している。ケージ３は、前端が開放された略箱形に形成されており、前端開口４５から光送受信モジュール４０を挿抜するようになっている。電気的には、光送受信モジュール４０をケージ３に挿入することで、光送受信モジュール４０の後端に形成された接続端子群８と、ホストカード２に接続されたケージ内接続端子群７とが互いに接続されるようになっている。これにより、パネルの窓から光送受信モジュール４０を挿抜することができ、通信機器を分解することなく光送受信モジュール４０を交換することができる。
【０００５】
【特許文献１】米国特許第６４３９９１８Ｂ１号明細書
【発明の開示】
【発明が解決しようとする課題】
【０００６】
ところで、ケージ３には、天板１０を昇降可能に形成すると共に、天板１０にヒートシンク４６を設け、天板１０を弾発的に押し下げるように構成したものがある。これにより、天板１０をケージ３内の光送受信モジュール４０に押し付け、光送受信モジュール４０の熱を効率よくヒートシンク４６に伝導するようになっている。
【０００７】
しかしながら、ケージ３に光送受信モジュール４０を挿抜するとき、光送受信モジュール４０はケージ３の天板１０と摩擦されることとなるため、強い力で光送受信モジュール４０を押し引きしなければならず、挿抜が容易でないという課題があった。
【０００８】
また、通常光送受信モジュール４０は上面に銘板（図示せず）を取り付けるようになっているため、このようなケージ３に挿抜すると天板１０から受ける応力によって銘板を摩擦され、銘板に傷がついてしまうという課題があった。そしてこのような挿抜操作を繰り返した場合、銘板の識別が困難となってしまうという課題があった。
【０００９】
またさらに、銘板が傷つくとき微小なゴミが発生し、ゴミが光送受信モジュール４０と天板１０との間に挟まって放熱性能を劣化させる虞があった。
【００１０】
そこで、本発明の目的は、上記課題を解決し、ケージに容易に挿抜でき、光送受信モジュールの上面に設けた銘板が傷付くのを防ぐことができ、銘板からゴミが発生するのを防ぐことができる挿抜用パッケージ及び光モジュール並びに伝送装置を提供することにある。
【課題を解決するための手段】
【００１１】
上記目的を達成するために本発明は、ホストカード等に設けられたケージに対して挿抜自在に設けられる光送受信モジュール等の挿抜用パッケージにおいて、パッケージ本体に、出没自在に摩擦低減部材を設けたものである。
【００１２】
上記摩擦低減部材は、回転自在なローラからなり、上記パッケージ本体に、上記ローラを枢支する枢支部材を昇降可能に設けると共に、該枢支部材を昇降させるための操作レバーを設けるとよい。
【００１３】
上記操作レバーは、上記パッケージ本体に挿抜方向スライド自在に設けられ、上記枢支部材を昇降させるべく枢支部材に摺動可能に係合される案内溝を有するとよい。
【００１４】
また、上記摩擦低減部材は、挿抜方向に延びるレール部材からなるものとしてもよい。
【００１５】
ホストカード等に設けられたケージに対して挿抜自在に設けられ発光素子や受光素子等の光素子を収容する光モジュールにおいて、モジュール本体に、出没自在に摩擦低減部材を設けたものである。
【００１６】
また、ホストカード等に設けられ天板と底板を近接させるように形成されたケージと、該ケージに対して挿抜自在に設けられる光送受信モジュール等の挿抜用パッケージとを備えて構成された伝送装置において、パッケージ本体に、上記ケージの天板に接触させるための摩擦低減部材を出没自在に設けたものである。
【発明の効果】
【００１７】
本発明によれば、ケージに容易に挿抜でき、光送受信モジュールの上面に設けた銘板が傷付くのを防ぐことができ、銘板からゴミが発生するのを防ぐことができる。
【発明を実施するための最良の形態】
【００１８】
図１は、挿抜用パッケージたる光送受信モジュールの斜視図であり、図６は光送受信モジュールとケージの側面図であり、図７は光送受信モジュールとケージの平面図である。
【００１９】
図６及び図７に示すように、光送受信モジュール１は、ホストカード２に設けられたケージ３に対して挿抜自在に設けられるようになっており、光送受信モジュール１とケージ３とで伝送装置２３を構成している。
【００２０】
光送受信モジュール１は、モジュール本体４に、出没自在に摩擦低減部材５を設けて構成されている。光送受信モジュール１は、ケージ３に挿抜する方向の一端側に光ファイバコネクタ（図示せず）を装着するための開口部６を有し、他端側にケージ内接続端子群７に着脱自在に接続される接続端子群８を有する。
【００２１】
摩擦低減部材５は、回転自在なローラ９からなり、モジュール本体４から上方に出没してケージ３の天板１０に当接されるようになっている。天板１０は、スプリング２５によってケージ３の底板２４に近接するように弾発付勢されている。
【００２２】
図１、図２及び図３に示すように、モジュール本体４には、ローラ９を枢支するための枢支部材１１が昇降可能に設けられると共に、枢支部材１１を昇降させるための操作レバー１２が設けられている。
【００２３】
枢支部材１１は、ローラ９を挿抜方向に複数並べて支持するように挿抜方向に長い枠状に形成されており、モジュール本体４の両側に形成された凹部１３内にそれぞれ上下摺動可能に収容されている。凹部１３は、挿抜方向の長さを枢支部材１１と略同じ長さに形成されており、枢支部材１１の挿抜方向への移動を規制するようになっている。図３及び図５に示すように、枢支部材１１は、モジュール本体４の外側に突出する爪部１４を前後に離間して複数有し、それぞれの爪部１４を介して後述する操作レバー１２に係合されるようになっている。
【００２４】
操作レバー１２は、モジュール本体４の両側に枢支部材１１を外側から覆うように配置される一対のスライド部１５と、これらスライド部１５間に形成されモジュール本体４の光接続側（前側）に配置される取っ手部１６とからなる。スライド部１５は、それぞれモジュール本体４に挿抜方向スライド自在に係合されており、取っ手部１６を押し引きすることで挿抜方向にスライドするようになっている。具体的には、モジュール本体４両側の凹部１３の外側には、スライド部１５を前後摺動自在に収容するためのスライド溝１７が形成されており、スライド部１５はスライド溝１７内でスライドするように構成されている。また、スライド部１５には、枢支部材１１を昇降させるべく枢支部材１１に摺動可能に係合される案内溝１８が前後に離間して複数形成されている。図３及び図５に示すように、案内溝１８は、上下に傾きつつスライド方向に延びる傾斜溝部１９と、傾斜溝部１９の両端に接続され水平に延長される水平溝部２０、２１とを備えて構成されており、枢支部材１１の爪部１４を摺動可能に収容するようになっている。そして、操作レバー１２が前後にスライドされることで傾斜溝部１９の傾斜に沿って爪部１４を上下動させるようになっている。
【００２５】
次に本実施の形態の作用を述べる。
【００２６】
光送受信モジュール１をケージ３に挿入する場合、予め操作レバー１２を前方へ引き出しておく。図１及び図６に示すように、爪部１４は案内溝１８の上側の水平溝部２０に係合された状態となり、枢支部材１１を凹部１３内上側に位置させてローラ９をモジュール本体４の上方に突出させた状態となる。この状態でモジュール本体４のケージ３に向けて押し、光送受信モジュール１をケージ３に挿入し始めると、図８に示すように、ケージ３の天板１０の前端部に最後端のローラ９が当たり、天板１０を傾斜させつつ押し上げる。このため、光送受信モジュール１の上面２２が天板１０に当たることはなく、上面２２に設けた銘板（図示せず）が傷つくことはない。図９に示すように、光送受信モジュール１をさらにケージ３に挿入すると、天板１０は水平な姿勢に戻り、ケージ３内に入ったそれぞれのローラ９に当接される。光送受信モジュール１は、ローラ９で天板１０を持ち上げつつケージ３内に挿入されることとなり、モジュール本体４の上面２２に設けた銘板と天板１０が接触することはない。このため、銘板が傷つくことはなく、銘板から微小なゴミが発生することもない。また、ローラ９はケージ３内に挿入されるとき、天板１０に接触しながら自由に回転するため、天板１０と摩擦されることはなく、小さな力で容易に挿入できる。そして、図１０に示すように、光送受信モジュール１をケージ３の最奥部まで挿入し、光送受信モジュール１側の接続端子群８とホストカード２側のケージ内接続端子群７とが接続されたら操作レバー１２をモジュール本体４側に押し込む。これにより、図２及び図１１に示すように、ローラ９がモジュール本体４内に没入され、ケージ３の天板１０がモジュール本体４の上面２２に圧着されることとなる。
【００２７】
このときの操作レバー１２とローラ９の動作を図３〜図５を用いて詳しく説明する。
【００２８】
図３に示すように、操作レバー１２がモジュール本体４から引き出された状態から操作レバー１２をモジュール本体４側に押し込むと、図４に示すように爪部１４が上側の水平溝部２０から傾斜溝部１９に移動され、その傾斜に沿って下方に移動されることとなる。このとき、枢支部材１１はモジュール本体４の凹部１３に前後方向の移動を規制されているため、爪部１４は鉛直下方に移動される。そしてさらに操作レバー１２を押し込むと、図５に示すように爪部１４は下側の水平溝部２１まで移動され、枢支部材１１と共にそれぞれのローラ９をパッケージの凹部１３内に没入させることとなる。
【００２９】
この後、光送受信モジュール１の開口部６に光ファイバコネクタを装着することで光ファイバ側とホストカード２側とで通信可能となる。
【００３０】
光送受信モジュール１をケージ３から抜き取る場合、操作レバー１２を引く。これにより爪部１４が案内溝１８の傾斜に沿って上昇され、枢支部材１１と共にそれぞれのローラ９がモジュール本体４の上方に突出される。それぞれのローラ９は、ケージ３の天板１０を持ち上げ、モジュール本体４から離間させる。この後、さらに操作レバー１２を引くことで光送受信モジュール１をケージ３から抜き取ることができる。光送受信モジュール１をケージ３から引き抜くとき、モジュール本体４の上面２２はケージ３の天板１０から離間されているため、銘板が傷つくことはなく、銘板から微小なゴミが発生することもない。
【００３１】
このように、モジュール本体４に、出没自在に摩擦低減部材５を設けたため、光送受信モジュール１とケージ３の摩擦を低減して光送受信モジュール１の挿抜を容易にでき、光送受信モジュール１の上面２２に設けた銘板が傷付くのを防ぐことができ、銘板からゴミが発生するのを防ぐことができる。そしてこれにより、銘板が識別困難となったり、光送受信モジュール１の上面２２と天板１０との間に微小なゴミが挟まって放熱性能が劣化するのを防ぐことができる。
【００３２】
また、摩擦低減部材５が、回転自在なローラ９からなり、モジュール本体４に、ローラ９を枢支する枢支部材１１を昇降可能に設けると共に、枢支部材１１を昇降させるための操作レバー１２を設けたため、光送受信モジュール１がケージ３から受ける摩擦を極めて小さなものにでき、簡単な構造で容易に天板１０をモジュール本体４から離間させることができる。
【００３３】
操作レバー１２は、モジュール本体４に挿抜方向スライド自在に設けられ、枢支部材１１を昇降させるべく枢支部材１１に摺動可能に係合される案内溝１８を有するものとしたため、簡単な操作で確実にローラ９を昇降させることができ、ローラ９を昇降させる機構を簡易なものにできる。
【００３４】
なお、ケージ３に挿抜自在に挿入される挿抜用パッケージが光送受信モジュール１である場合について説明したが、本発明はこれに限るものではない。挿抜用パッケージは、光送信のみを行う光送信モジュールや、光受信のみを行う光受信モジュール等の他のタイプの光モジュールであってもよい。また、挿抜用パッケージは、ケージ３に挿抜自在に挿入され放熱のために天板１０に圧着される電子デバイスであってもよい。すなわち、本発明は、ケージ３と、光送受信モジュールや電子デバイス等からなる挿抜用パッケージとからなる伝送装置２３に適用してもよい。
【００３５】
ケージ３は、スプリング２５で天板１０を下方に弾発付勢するものについて述べたが、天板１０を自重で光送受信モジュール１に圧着させるものであってもよい。また、ケージ３は、底板２４を上方に弾発付勢することで天板１０に光送受信モジュール１を圧着するように構成されたものであってもよい。
【００３６】
またさらに、摩擦低減部材５はローラ９に限るものではなく、ケージ３に円滑に摺接する部材であれば他のものであってもよい。摩擦低減部材５を変更した他の実施の形態について述べる。なお、上述と同様の構成については説明を省き、同符号を付す。
【００３７】
図１２及び図１３に示すように、摩擦低減部材３０は、挿抜方向に延びるレール部材３１からなる。レール部材３１は、上端を鋭角に尖らせて形成されており、天板１０との摩擦を低減するようになっている。また、レール部材３１の前端と後端は下側を広げるようにそれぞれ傾斜して形成されており、引っ掛かりがないように形成されている。レール部材３１は、モジュール本体４の凹部１３に上下摺動自在に収容された支持部材３２に一体に設けられており、支持部材３２と共に昇降するようになっている。支持部材３２は、上述の枢支部材１１と同様の爪部１４を有し、操作レバー１２の案内溝１８に案内されて昇降するように構成されている。
【００３８】
このように、摩擦低減部材３０を、挿抜方向に延びるレール部材３１からなるものとしても、図１４に示すようにレール部材３１が天板１０に当接して滑るため、光送受信モジュール３３とケージ３の摩擦を小さくでき、簡単な構造で容易にモジュール本体４から天板１０を離間させることができる。なお、レール部材３１をモジュール本体４内に没入させる操作は上述の実施の形態と同様であり、図１５に示すように、操作レバー１２をモジュール本体４側に押し込めばよい。
【図面の簡単な説明】
【００３９】
【図１】本発明の好適実施の形態を示す光送受信モジュールの斜視図である。
【図２】摩擦低減部材をモジュール本体内に没入させた光送受信モジュールの斜視図である。
【図３】光送受信モジュールの要部拡大斜視図である。
【図４】光送受信モジュールの要部拡大斜視図である。
【図５】光送受信モジュールの要部拡大斜視図である。
【図６】光送受信モジュールとケージの側面図である。
【図７】光送受信モジュールとケージの平面図である。
【図８】光送受信モジュールとケージの側面図である。
【図９】光送受信モジュールとケージの側面図である。
【図１０】光送受信モジュールとケージの側面図である。
【図１１】光送受信モジュールとケージの側面図である。
【図１２】他の実施の形態を示す光送受信モジュールとケージの側面図である。
【図１３】他の実施の形態を示す光送受信モジュールとケージの平面図である。
【図１４】他の実施の形態を示す光送受信モジュールとケージの側面図である。
【図１５】他の実施の形態を示す光送受信モジュールとケージの側面図である。
【図１６】従来の光送受信モジュールとケージの側面図である。
【図１７】従来の光送受信モジュールとケージの平面図である。
【図１８】従来の光送受信モジュールとケージの側面図である。
【符号の説明】
【００４０】
１  光送受信モジュール（光モジュール、挿抜用パッケージ）
２  ホストカード
３  ケージ
４  モジュール本体（パッケージ本体）
５  摩擦低減部材
９  ローラ
１０  天板
１１  枢支部材
１２  操作レバー
１８  案内溝
２４  底板
３１  レール部材
【図１】
2006126340.tif 000003
【図２】
2006126340.tif 000004
【図３】
2006126340.tif 000005
【図４】
2006126340.tif 000006
【図５】
2006126340.tif 000007
【図６】
2006126340.tif 000008
【図７】
2006126340.tif 000009
【図８】
2006126340.tif 000010
【図９】
2006126340.tif 000011
【図１０】
2006126340.tif 000012
【図１１】
2006126340.tif 000013
【図１２】
2006126340.tif 000014
【図１３】
2006126340.tif 000015
【図１４】
2006126340.tif 000016
【図１５】
2006126340.tif 000017
【図１６】
2006126340.tif 000018
【図１７】
2006126340.tif 000019
【図１８】
2006126340.tif 000020